(57)【特許請求の範囲】
【請求項１】
躯体上に配置されるフレームと、
該フレーム上に載置され、浴室の床を構成する防水パンであって、
防水パン本体と、
該防水パン本体の裏面側に配置される保温材シートと、を備え、
該保温材シートは、その裏側から順に、
樹脂シートと、
該樹脂シートの表側の全面にわたり形成された第１接着層と、
該第１接着層の周縁部を除く少なくとも一部に配置された保温材と、を有し、
該保温材シートは、前記第１接着層により前記樹脂シートの周縁部が前記防水パン本体に接着されることで、前記防水パン本体の裏面側に保持される防水パンと、を備え、
前記防水パン本体の裏面には、前記フレーム側に突出する複数のリブが設けられ、
前記保温材シートは、前記リブと前記フレームとの間で挟持され、
前記保温材シートは、前記保温材上の一部に形成された第２接着層をさらに有しかつ該第２接着層により前記リブに接着される浴室の床構造。
【請求項２】
前記保温材シートは、前記フレームの形状に対応した位置には前記保温材が配置されておらず、該保温材が配置されていない部分が前記リブと前記フレームとの間で挟持される請求項１に記載の浴室の床構造。
【請求項３】
前記保温材シートは、施工者の手が挿入可能な大きさの開口部を有する請求項１又は２に記載の浴室の床構造。
【発明の詳細な説明】
【技術分野】
【０００１】
本発明は、防水パン及び浴室の床構造に関する。
【背景技術】
【０００２】
従来、躯体上に配置されたフレーム上に防水パンが載置され、フレームに防水パンを固定させる浴室の床構造が知られている。浴室の床構造においては、防水パンの裏面側に保温材シートを取り付けて、浴室の保温性を高める必要がある。
【０００３】
そこで、特許文献１の浴室の床構造では、リブを設けた防水パンの裏面側に保温材シートを全面に亘って貼り付け、その保温材シートの裏面側にフレームを配置する。そして、フレームに装着したＬ字状の取付金具により、保温材シートの裏側からリブに固定ビスを打入して取り付ける方法が採用されている。
【先行技術文献】
【特許文献】
【０００４】
【特許文献１】特許第３８７６６６０号公報
【発明の概要】
【発明が解決しようとする課題】
【０００５】
しかしながら、特許文献１のような従来の浴室の床構造では、保温材シートを取り付ける際に、ネジ等の固定部品を使用して、防水パンの裏面に保温材シートを取り付ける必要があった。また、保温材シートの取り付けのために、予めフレームと防水パンを一体にする必要があり、その後、排水トラップ取り付け作業や配管接続作業において、防水パンが邪魔になり、施工作業全体の効率が悪い。
【０００６】
本発明は、上記課題に鑑みなされたものであり、フレームを取り付ける前に、ネジ等の固定部品を使用することなく、保温材シートを容易に取り付け可能な防水パン及びこの防水パンを用いた浴室の床構造を提供することを目的とする。
【課題を解決するための手段】
【０００７】
上記目的を達成するため本発明は、浴室（例えば、後述する浴室１）の床を構成する防水パン（例えば、後述する防水パン３０）であって、防水パン本体（例えば、後述する防水パン本体３１）と、該防水パン本体の裏面（例えば、後述する裏面３５）側に配置される保温材シート（例えば、後述する保温材シート４１）と、を備え、該保温材シートは、その裏側から順に、樹脂シート（例えば、後述する樹脂シート４５）と、該樹脂シートの表側の全面にわたり形成された第１接着層（例えば、後述する第１接着層４６）と、該第１接着層の周縁部（例えば、後述する貼付部４３）を除く少なくとも一部（例えば、後述する保温材配置部４２１）に配置された保温材（例えば、後述する保温材４７）と、を有し、該保温材シートは、前記第１接着層により前記樹脂シートの周縁部が前記防水パン本体に接着されることで、前記防水パン本体の裏面側に保持される防水パンを提供する。
【０００８】
また、上記目的を達成するため本発明は、躯体（例えば、後述する躯体１００）上に配置されるフレーム（例えば、後述するフレーム２０）と、該フレーム上に載置される上述の防水パンと、を備え、前記防水パン本体の裏面には、前記フレーム側に突出する複数のリブ（例えば、後述するリブ３６）が設けられ、前記保温材シートは、前記リブと前記フレームとの間で挟持される浴室の床構造（例えば、後述する浴室の床構造１０）を提供する。
【０００９】
また、前記保温材シートは、前記フレームの形状に対応した位置（例えば、後述するフレーム配置部４２２）には前記保温材が配置されておらず、該保温材が配置されていない部分が前記リブと前記フレームとの間で挟持されることが好ましい。
【００１０】
また、前記保温材シートは、施工者の手が挿入可能な大きさの開口部（例えば、手掛け用開口部４２４）を有することが好ましい
【００１１】
また、前記保温材シートは、前記保温材上の一部に形成された第２接着層（例えば、後述する第２接着層４８）をさらに有しかつ該第２接着層により前記リブに接着されることが好ましい。
【発明の効果】
【００１２】
本発明によれば、フレームを取り付ける前に、ネジ等の固定部品を使用することなく、保温材シートを容易に取り付け可能な防水パン及びこの防水パンを用いた浴室の床構造を提供できる。
【図面の簡単な説明】
【００１３】
【図１】本発明の一実施形態に係る浴室の床構造を有する浴室を示す平面図である。
【図２】本実施形態に係る浴室の床構造が備えるフレームと防水パンの斜視図である。
【図３】本実施形態に係る保温材シートの平面図である。
【図４】図３におけるＡ−Ａ線断面図である。
【図５】本実施形態に係る樹脂シートの平面図である。
【図６】本実施形態に係る防水パンの裏面側の平面図である。
【図７】本実施形態に係る防水パンのコーナー部の拡大斜視図である。
【図８】本実施形態に係る浴室の床構造の裏面側の平面図である。
【図９】図８におけるＡ−Ａ線断面図である。
【発明を実施するための形態】
【００１４】
以下、本発明の一実施形態について、図面を参照しながら詳しく説明する。
【００１５】
図１は、本発明の一実施形態に係る床構造１０を有する浴室１を示す平面図であり、図２は、本実施形態に係る浴室の床構造１０が備えるフレーム２０と防水パン３０の斜視図であり、図３は、本実施形態に係る保温材シート４１の平面図であり、図４は、図３におけるＡ−Ａ線断面図であり、図５は、本実施形態に係る樹脂シート４５の平面図である。
【００１６】
図１に示すように本実施形態の浴室の床構造１０（洗い場２）は、マンションや戸建て住宅の浴室１を構成する。浴室１は、洗い場２と、浴槽３と、カウンター４と、収納棚５と、鏡６と、水栓７と、シャワー部８と、ドア部９と、を有している。図１に示すように、浴槽３は洗い場２に隣接して設けられ、カウンター４、収納棚５、鏡６、水栓７、シャワー部８及びドア部９は、洗い場２の上部に設けられる。
【００１７】
図２に示す浴室の床構造１０は、フレーム２０と、防水パン３０と、排水トラップ５０と、を備えている。
【００１８】
フレーム２０は、外周部２１と、支持脚部２２と、桟部２３と、取付部２４と、被係合部２５と、を備えている。
【００１９】
外周部２１は、一対の長辺梁及び一対の短辺梁により、矩形状に形成される。一方の長辺梁の長手方向中央には、長辺梁の側面部及び底面部により構成される排水トラップ５０の取付部２４が設けられており、この取付部２４を備える長辺梁には浴槽３が隣接する。
【００２０】
桟部２３は、中空状の３つの桟、第１桟２３Ａ、第２桟２３Ｂ及び第３桟２３Ｃを有している。第１桟２３Ａの一端は、一方の短辺梁の下面に接続され、第１桟２３Ａの他端は、他方の短辺梁の下面に接続されている。また、第２桟２３Ｂ及び第３桟２３Ｃの一端は、それぞれ取付部２４を備える長辺梁の一端に接続されており、第２桟２３Ｂ及び第３桟２３Ｃの他端はそれぞれ第１桟２３Ａの側面に接続されている。桟部２３は外周部２１に比べて一段下方に設けられている。これら第１桟２３Ａ、第２桟２３Ｂ及び第３桟２３Ｃの上面に防水パン３０が支持される。
【００２１】
支持脚部２２は、４つの支持脚を有し、それぞれの支持脚に高さ（長さ）調整機構を設けている。本実施形態においては、４つの支持脚を用いて、フレーム２０の高さ調整が行われる。４つの支持脚のうち２つの支持脚は、取付部２４を備える長辺梁の下端に設置され、下方に向けて延び、また、残りの２つの支持脚は、第１桟２３Ａの下端に設置され、下方に向けて延びる。これら支持脚部２２による外周部２１の高さ調整が終わった後は、躯体１００上に載置され、それぞれの下端が接着剤等により躯体１００に固定される。
【００２２】
被係合部２５は第２桟２３Ｂ及び第３桟２３Ｃの上面に形成される開口部である。この被係合部２５には、後述する防水パン本体３１の裏面３５に設けられる係合部３７を挿通させた後、所定方向にスライドさせることで、係合部３７が係合される。これにより、防水パン３０はフレーム２０に対して固定される。
【００２３】
排水トラップ５０は、上面に開口する洗い場用流入口５１と、上面に開口する浴槽用流入口５２と、浴槽側とは反対方向に開口する流出口５３と、この流出口５３に接続する排水パイプ５４と、を有する。洗い場用流入口５１は、後述の防水パン本体３１の排水口部３２に接続され、浴槽用流入口５２は、浴槽３中の排水口３Ａ（図１参照）に接続される。流出口５３は、排水パイプ５４に接続され、浴室１内の排水はこの排水パイプ５４を経由して、浴室外部へ送られる。
【００２４】
続いて、防水パン３０について説明する。防水パン３０は、防水パン本体３１と、保温材シート４１と（図３参照）、を備える。保温材シート４１については、後述する。
【００２５】
以下、防水パン本体３１の構造について説明する。防水パン本体３１は全体として一枚の板状をなし、排水口部３２と、収容凹部３３と、裏面３５と、リブ３６と（図６参照）、係合部３７と、を備える。この防水パン本体３１は、洗い場２の領域全体をカバーする。この防水パン本体３１に保温材シート４１の周縁部が取り付けられる。
【００２６】
排水口部３２は、防水パン本体３１の外周近傍に設けられており、表面から裏面３５へ連通する貫通形態の円形に形成される。排水口部３２は、表面の４つの隅からこの排水口部３２に向かって、それぞれ下り勾配で傾斜している。
【００２７】
収容凹部３３は、排水口部３２の周辺を浅く凹ませた形態で形成される。この収容凹部３３には、収容凹部３３の形状にほぼ整合し、取り外し可能な目皿が収容される。
【００２８】
裏面３５は、防水パン本体３１に作用する負荷がかかる部位である。この負荷に対する剛性を高める手段として、この裏面３５には、防水パン本体３１に略直角に下方へ突出する後述のリブ３６が裏面３５の全域に亘って形成されている。
【００２９】
リブ３６は、裏面３５の各辺に沿って、フレーム２０側に突出し、格子状に設けられる。リブ３６の高さは、周縁部と中央部とで異なる。具体的には該周縁部でのリブ３６の突出高さは低く、それに比べて、該中央部のリブ３６の突出高さは高い。該周縁部の突出高さと、該中央部の突出高さとの差によって形成される段差は、上記フレーム２０の外周部２１と、桟部２３によって形成される段差と一致する。そのため、該周縁部のリブ３６の下端が該外周部２１の上端に当接すると同時に、該中央部のリブ３６の下端は桟部２３の上面に当接し、支持される。従って、防水パン本体３１はリブ３６を介して、桟部２３により補強される。また、本実施形態では上記周縁部のリブ３６と、中央部のリブ３６との段差において外周面３８（図７参照）が形成され、該外周面３８に後述する保温材シート４１の貼付部４３が取り付けられる。
【００３０】
係合部３７は、防水パン本体３１の裏面３５に設けられる。係合部３７は、第２桟２３Ｂ及び第３桟の上面に設けられる被係合部２５に上方から挿通し、所定方向にスライドさせることで、この被係合部２５に係合される。これにより、フレーム２０の桟部２３と防水パン本体３１の裏面３５と、が締結され、フレーム２０の桟部２３と、防水パン本体３１の裏面３５と、の接触による音鳴りを抑制できる。
【００３１】
続いて、防水パン３０が備える保温材シート４１について説明する。
図３に示すように保温材シート４１は、本体部４２と、貼付部４３と、排水口設置用切欠き部４４と、から構成される。保温材シート４１は、略矩形状に形成される。この保温材シート４１は、後述する一枚の樹脂シート４５の一方側の全面にわたり形成された第１接着層４６を有し、この第１接着層４６の周縁部を除く少なくとも一部に保温材４７が配置されることで構成される。
なお、本実施形態の第１接着層４６は、例えばドット状または横筋状、縦筋状に塗布して形成することができる。また、本実施形態の保温材４７には、例えばポリオレフィンフォーム材等を用いることができる。
【００３２】
本体部４２は、防水パン本体３１の裏面３５に配置され、貼付部４３は、防水パン本体３１の周壁部に配置される。即ち、保温材シート４１は、全体として裏面３５よりも広い面積を有し、裏面３５全体を覆うように配置される。また、排水口設置用切欠き部４４は、保温材シート４１の外周側の中央部に配置される。
【００３３】
本体部４２は、保温材シート４１の中央部において略矩形状に形成される。本体部４２は、保温材配置部４２１と、フレーム配置部４２２と、第２接着層部４２３と、手掛け用開口部４２４と、係合用開口部４２５と、から構成される。
【００３４】
保温材配置部４２１には、発泡樹脂等の保温材が配置される。本実施形態においては、本体部４２上の４つの領域に、第１〜第４保温材配置部４２１Ａ〜４２１Ｄがそれぞれ設けられる。
【００３５】
第１保温材配置部４２１Ａは、保温材シート４１の中央部に配置される。第２保温材配置部４２１Ｂ及び第３保温材配置部４２１Ｃは、保温材シート４１の長手方向において第１保温材配置部４２１Ａの両側に設けられる。第４保温材配置部４２１Ｄは、保温材シート４１の短手方向において、排水口設置用切欠き部４４とは逆側に設けられる。
【００３６】
フレーム配置部４２２は、本体部４２において第１〜第４保温材配置部４２１Ａ〜４２１Ｄを除いた部分に形成される。このフレーム配置部４２２の裏側に、フレーム２０の桟部２３の上面が当接され、このフレーム配置部４２２を介して防水パン本体３１の裏面３５が支持される。なお、本実施形態においては、桟部２３の被係合部２５と防水パン本体３１の係合部３７との安定した係合等に鑑み、このフレーム配置部４２２には保温材４７が設けられていない。
【００３７】
また、フレーム配置部４２２の一部には、手掛け用開口部４２４及び係合用開口部４２５が、それぞれ一対設けられる。手掛け用開口部４２４は、施工者の手が挿入可能な大きさの開口部であり、施工者はこの手掛け用開口部４２４から手を挿入して防水パン本体３１の裏面３５に設けられたリブ３６等を把持することで、防水パン３０を持ち運び可能となっている。また、係合用開口部４２５は、防水パン本体３１の係合部３７が挿通可能な大きさの開口部である。
【００３８】
第２接着層部４２３は、第１保温材配置部４２１Ａ内に一対設けられ、面積の大きい第１保温材配置部４２１Ａの裏面３５に対する保温材の配置を補助する。
【００３９】
図４に示すように、第１保温材配置部４２１Ａ及び第３保温材配置部４２１Ｃは、裏側（図４において上側）から順に、樹脂シート４５、第１接着層４６、保温材４７が積層されて構成される。図４では不図示の第２保温材配置部４２１Ｂ及び第４保温材配置部４２１Ｄも同様の構成である。フレーム配置部４２２は、裏側（図４において上側）から順に、樹脂シート４５、第１接着層４６が積層されて構成される。第２接着層部４２３は、第１〜第４保温材配置部４２１Ａ〜Ｄの表側（図４において下側）にさらに第２接着層４８が積層されて構成される。
なお、第１接着層４６及び第２接着層４８の形成には、従来公知の接着剤が用いられる。
【００４０】
図５に示すように、樹脂シート４５は、保温材シート４１の外形を構成する一枚のシートである。樹脂シート４５としては、例えば厚さ１２０μｍのポリエチレンシートが用いられる。
【００４１】
図３に戻って、貼付部４３は、本体部４２の四周に設けられる。ここで、貼付部４３は、貼付面４３Ａ〜４３Ｆと、貼付カバー４３１Ａ〜４３１Ｄと、を備えている。貼付部４３は、上述したフレーム配置部４２２と同様に、裏側から順に、樹脂シート４５、第１接着層４６が積層されて構成される。これら貼付面４３Ａ〜４３Ｆは、上記中央部に設けられるリブ３６と、周縁部に設けられるリブ３６との境部分で折り曲げられて、上記リブ３６の外周面３８に接着される。また、貼付カバー４３１Ａ〜４３１Ｄは、それぞれ隣接する貼付面の外側面に接着されることで、防水パン本体３１に対する保温材シート４１の周縁部の接着をより強固なものとする。
【００４２】
排水口設置用切欠き部４４は、防水パン３０の排水口部３２及び収容凹部３３に対応した位置に設けられ、排水トラップ５０の設置を可能とする。
【００４３】
保温材シート４１は、例えば次のようにして製造される。
先ず、樹脂シートを上述の形状を有する樹脂シート４５に成形加工した後、その一方側に接着剤をドット状または横筋状、縦筋状に、ほぼ全面にわたり塗布することで、第１接着層４６を形成する。
次いで、第１接着層４６上に第１〜第４保温材配置部４２１Ａ〜４２１Ｄの形状に合わせた保温材を貼り付ける。また、第１保温材配置部４２１Ａの保温材上の所定の位置に、接着剤を塗布して第２接着層４８を形成する。これにより、保温材シート４１が製造される。  
【００４４】
以上説明した保温材シート４１を備える防水パン３０について、図６及び図７を参照してさらに詳しく説明する。
ここで、図６は、本実施形態に係る防水パン３０の裏面側の平面図である。図７は、本実施形態に係る防水パン３０のコーナー部の拡大斜視図である。
【００４５】
図６に示すように、上述の構成を備える保温材シート４１は、防水パン本体３１の裏面３５をその本体部４２（第１〜第４保温材配置部４２１Ａ〜４２１Ｄ）で覆うようにして配置される。保温材シート４１の係合用開口部４２５には、係合部３７が挿通される。
貼付部４３を構成する貼付面４３Ａ〜４３Ｆは、上記中央部に設けられるリブ３６と、周縁部に設けられるリブ３６との境部分で折り曲げられて、上記リブ３６の外周面３８に接着されている。これにより、保温材シート４１の周縁部（貼付部４３）が防水パン本体３１に対して接着されることで、保温材シート４１は防水パン本体３１の裏面３５に保持される。
【００４６】
より詳しくは、図７に示すように防水パン３０のコーナー部では、保温材シート４１の貼付面４３Ａ〜４３Ｆ（図７では貼付面４３Ｂ、４３Ｃ）が中央部に設けられるリブ３６と、周縁部に設けられるリブ３６との境部分で折り曲げられるとともに、折り曲げられた貼付面４３Ｃの外側面に向かって貼付カバー４３１Ｂが折り曲げられ、該外側面に接着される。他の貼付カバー４３１Ａ〜４３１Ｄも同様である。これにより、貼付カバー４３１Ａ〜４３１Ｄがそれぞれ隣接する貼付面の外側面に接着されることで、保温材シート４１の周縁部（貼付部４３）が防水パン本体３１に対してより強固に接着される。ひいては、保温材シート４１が防水パン本体３１の裏面３５により確実に保持される。
【００４７】
次に、防水パン３０を備える浴室１の床構造１０について、図８及び図９を参照してさらに詳しく説明する。
ここで、図８は、本実施形態に係る浴室の床構造１０の裏面側の平面図である。図９は、図８におけるＡ−Ａ線断面図である。
【００４８】
本実施形態の保温材シート４１を裏面３５側に保持する防水パン３０は、予め躯体上に配置されたフレーム２０上に載置される。図８に示すように、フレーム２０の桟部２３が保温材シート４１のフレーム配置部４２２に位置するように、防水パン３０はフレーム２０上に配置される。
具体的には、保温材シート４１の係合用開口部４２５を挿通する防水パン本体３１に設けられた係合部３７と、フレーム２０の被係合部２５との位置合わせをしながら、防水パン３０を水平方向にスライド移動させることにより、防水パン３０をフレーム２０の外周部２１の枠内に配置する。このとき、係合部３７と被係合部２５とが互いに係合されることで、防水パン３０はフレーム２０に固定される。
【００４９】
フレーム２０上に防水パン３０が配置された本実施形態に係る浴室の床構造１０の断面構造は、図９に示す通りである。図９に示すように、防水パン本体３１の裏面３５側に保持される保温材シート４１は、防水パン本体３１の裏面３５に設けられたリブ３６と、フレーム２０の桟部２３の上端面との間に挟持された状態となる。即ち、保温材４７が配置されていないフレーム配置部４２２における保温材シート４１の上面は、リブ３６の下端面に当接し、その下面は、桟部２３の上端面に当接している。これにより、保温材シート４１は、防水パン本体３１の裏面３５から垂れ下がることなく、該裏面３５に近接した状態で保持される。
【００５０】
本実施形態によれば、以下の効果が奏される。
本実施形態では、防水パン本体３１と、防水パン本体３１の裏面３５側に配置される保温材シート４１と、を備える防水パン３０において、保温材シート４１の裏側から順に、樹脂シート４５と、樹脂シート４５の表側の全面にわたり形成された第１接着層４６と、第１接着層４６の周縁部を除く少なくとも一部に配置された保温材４７と、を設け、第１接着層４６により樹脂シート４５の周縁部を防水パン本体３１に接着することで、保温材シート４１が防水パン本体３１の裏面３５側に保持される構成とした。
これにより、防水パン本体３１の裏面３５よりも大きな樹脂シート４５の周縁部に位置する第１接着層４６を防水パン本体３１に接着でき、樹脂シート４５の一部に配置された保温材４７を防水パン本体３１の裏面３５に確実に保持できる。そのため、フレーム２０を取り付ける前に、ネジ等の固定部品を使用することなく、保温材シート４１を防水パン３０に容易に取り付けることができる。
また本実施形態によれば、ネジ等の固定部品を使用しないため、保温材に穴を空ける必要がなく、従来と比べて保温性能が向上する。
【００５１】
また本実施形態では、躯体１００上に配置されるフレーム２０と、フレーム２０上に載置される上記防水パン３０と、を備える浴室の床構造１０において、防水パン本体３１の裏面３５にフレーム２０側に突出する複数のリブ３６を設け、保温材シート４１をリブ３６とフレーム２０との間で挟持する構成とした。
これにより、保温材シート４１の周縁部を防水パン本体３１に接着できることに加えて、リブ３６とフレーム２０との間で挟持できるため、保温材シート４１を防水パン本体３１の裏面３５により確実に保持できる。また、防水パン本体３１の裏面３５から垂れ下がることなく該裏面３５に近接した状態で保温材シート４１を保持でき、保温性能が向上する。
【００５２】
また本実施形態では、保温材シート４１に対して、フレーム２０の形状に対応した位置に保温材４７を配置しないフレーム配置部４２２を設け、該フレーム配置部４２２をリブ３６とフレーム２０との間で挟持する構成とした。
これにより、フレーム２０と、防水パン本体３１のリブ３６との間に保温材４７が介在することがなく、より安定して防水パン３０をフレーム２０上に配置することができる。また、フレーム２０の被係合部２５と防水パン本体３１の係合部３７との係合をよりスムーズかつ確実に行うことができる。
【００５３】
また本実施形態では、保温材シート４１に対して、施工者の手が挿入可能な大きさの手掛け用開口部４２４を設けた。
これにより、防水パン本体３１の裏面３５に保温材シート４１が取り付けられた防水パン３０を浴室に搬送する際に、施工者が手掛け用開口部４２４から手を挿入して防水パン本体３１の裏面３５に設けられたリブ３６等を把持することができ、防水パン３０を容易に持ち運びできる。
【００５４】
また本実施形態では、保温材シート４１に対して、保温材４７上の一部に第２接着層４８を形成し、この第２接着層４８により保温材シート４１がリブ３６に接着される構成とした。
これにより、保温材シート４１の自重により撓んで垂れ下がる部位において、該垂れ下がりを解消して防水パン本体３１の裏面３５に近接した状態で、保温材シート４１をより確実に保持できる。
【００５５】
なお、本発明は上記実施形態に限定されるものではなく、本発明の目的を達成できる範囲での変形、改良等は本発明に含まれる。
上記実施形態では、フレーム配置部の第１接着層上には、保温材を設けない例で説明したが、別段これに限られず、フレームを配置する部分の第１接着層上に保温材を設けてもよい。
【００５６】
また、保温材シートにおける保温材の配置は、フレームの形状にあわせて適宜変更可能である。保温材上に第２接着層を設けることは必須ではなく、第２接着層を設けなくてもよい。
【符号の説明】
【００５７】
１０…浴室の床構造
２０…フレーム
２１…外周部
２３…桟部
２５…被係合部
３０…防水パン
３１…防水パン本体
３２…排水口部
３５…裏面
３６…リブ
４１…保温材シート
４２…本体部
４２１…保温材配置部
４２１Ａ〜Ｄ…第１〜第４保温材配置部
４２２…フレーム配置部
４２４…手掛け用開口部
４３…貼付部（保温材シートの周縁部）
４３Ａ〜Ｆ…貼付面
４５…樹脂シート
４６…第１接着層
４７…保温材
４８…第２接着層
【図１】
0006655990.tif 000002
【図２】
0006655990.tif 000003
【図３】
0006655990.tif 000004
【図４】
0006655990.tif 000005
【図５】
0006655990.tif 000006
【図６】
0006655990.tif 000007
【図７】
0006655990.tif 000008
【図８】
0006655990.tif 000009
【図９】
0006655990.tif 000010